(57)【要約】【課題】ワイヤロープと検出器の相対移動を円滑に行うことができるワイヤロープの探傷方法を提供すること。【解決手段】ワイヤロープ１８の素線の断線を検査する探傷検査方法であって、ワイヤロープ１８の外径に略一致する円弧形状に形成された非磁性体のスライドプレート１９をワイヤロープ１８の外周面に装着し、スライドプレート１９の外周面に沿って検出器２３を摺動させるようにした。これにより、検出器２３はスライドプレート１９上を円滑に移動して探傷検査を行うことができる。【選択図】図４
2019200073.tif 000002
【特許請求の範囲】
【請求項１】
ワイヤロープの素線の断線を検査する探傷検査方法であって、前記ワイヤロープの外径に略一致する円弧形状に形成された非磁性体のスライドプレートを前記ワイヤロープの外周面に装着し、前記スライドプレートの外周面に沿って検出器を摺動させるようにしたことを特徴とするワイヤロープの探傷検査方法。
【請求項２】
前記スライドプレートに前記検出器の摺動を案内するガイド部材を設けたことを特徴とする請求項１記載のワイヤロープの探傷検査方法。
【請求項３】
前記スライドプレートを屈曲した前記ワイヤロープの外周に一致するように形成したことを特徴とする請求項１又は２記載のワイヤロープの探傷検査方法。
【発明の詳細な説明】
【技術分野】
【０００１】
本発明は、ワイヤロープ、特には静止しているワイヤロープの素線の断線を検出するのに好適な索条の探傷検査方法に関する。
【背景技術】
【０００２】
ワイヤロープは、鋼線（素線）を撚り合わせてストランドとし、このストランドをさらに鋼芯のまわりに複数本撚り合わせて構成されており、エレベータ、索道、クレーン等の広い用途に使用されている。ワイヤロープは、経年使用による繰り返し曲げや荷重の負荷などにより素線の断線や摩耗等の損傷が発生するために、定期的に点検を行って損傷箇所を早期に発見する必要がある。
【０００３】
このようなワイヤロープを点検する装置としては、ワイヤロープの損傷箇所から漏れる磁束を検出する、いわゆる漏洩磁束探傷法を用いたワイヤロープの検査装置が知られている。このワイヤロープの検査装置は、永久磁石や電気磁石によりワイヤロープを長手方向へ磁化し、ワイヤロープの損傷部における漏洩磁束を誘導コイルにより検出し、ワイヤロープの損傷を検知するようにしている（例えば、特許文献１参照）。
【０００４】
また、従来、電磁誘導式の非破壊検査方法が提案されており、この方法をワイヤロープの検査に採用する動向もある。この検査方法は、次のように構成されている。交流電流を流すことにより交流磁界を発生する励磁コイル及び磁束変化を検出する誘導コイルを有する電磁誘導センサと被検査物とを所定速度で接触又は非接触状態で相対的に移動させつつ、励磁コイルに交流電流を流して交流磁界を供給する。供給した交流磁界及び相対的な移動により被検査物の内部に発生する交番電流に基づいて被検査物内を流れる交流磁界の磁束変化を誘導コイルで検出し、誘導コイルからの検出出力の位相成分及び振幅成分の少なくとも一方の変化量に基づいて、被検査物内部の欠陥の有無を判定するようにしている（例えば、特許文献２参照）。
【先行技術文献】
【特許文献】
【０００５】
【特許文献１】特開２０１２−１０３１７７号公報
【特許文献２】特開２０１３−１０４８５７号公報
【発明の概要】
【発明が解決しようとする課題】
【０００６】
しかしながら、ワイヤロープの表面は、ストランドの撚り合わせによる凹凸が存在し、検出器がワイヤロープの表面に当接して相対移動した場合には、上記いずれの方法においても、表面の凹凸のために検出器が安定して移動しないという問題があった。
【０００７】
本発明は、このような事情に鑑みてなされたものであって、ワイヤロープと検出器の相対移動を円滑に行うことができるワイヤロープの探傷方法を提供することを目的とする。
【課題を解決するための手段】
【０００８】
請求項１の発明は、ワイヤロープの素線の断線を検査する探傷検査方法であって、前記ワイヤロープの外径に略一致する円弧形状に形成された非磁性体のスライドプレートを前記ワイヤロープの外周面に装着し、前記スライドプレートの外周面に沿って検出器を摺動させるようにしたことを特徴としている。
【０００９】
請求項２の発明は、前記スライドプレートに前記検出器の摺動を案内するガイド部材を設けたことを特徴としている。
【００１０】
請求項３の発明は、前記スライドプレートを屈曲した前記ワイヤロープの外周に一致するように形成したことを特徴としている。
【発明の効果】
【００１１】
本発明によれば、スライドプレートの外周面に沿って検出器を摺動させるようにしたことにより、検出器を円滑に摺動させてワイヤロープの探傷検査を行うことができる。
【図面の簡単な説明】
【００１２】
【図１】電磁誘導式検査装置の概略を示した図
【図２】電磁誘導センサの概略図
【図３】ワイヤロープを検査する状態を示す側面図
【図４】ワイヤロープを検査する状態を示す断面視正面図
【図５】スライドプレートを示した断面視正面図
【図６】ワイヤーロ−プが滑車に巻き掛けられた状態を示す側面図
【図７】検出器の概略を示す斜視図
【発明を実施するための最良の形態】
【００１３】
以下、本発明の具体的な実施の形態を図面を参照して説明する。図１は、ワイヤロープを非破壊検査する装置の一例として、電磁誘導式検査装置の概略を示した図であり、図２は電磁誘導式検査装置に用いられる電磁誘導センサの概略図である。
【００１４】
図１に示すように電磁誘導式検査装置１０は、被検査体１２と相対移動する検出器である電磁誘導センサ１１と、この電磁誘導センサ１１からの信号を受けて被検査体１２内部の欠陥を判定する検出信号処理部１３と、検出結果を表示する表示部１４と、交流電源１５とを備えている。図２に示すように電磁誘導センサ１１は、絶縁被覆銅線を巻回し中空円環状に形成した励磁コイル１６と、この励磁コイル１６の外面に同じく絶縁被覆銅線を巻回した誘導コイル１７とからなっており、励磁コイル１６には交流電源１５から電力が供給される。
【００１５】
以上の構成により電磁誘導式検査装置１０は以下のように動作する。まず、電磁誘導センサ１１に交流電源１５から電力を供給すると、電磁誘導センサ１１の励磁コイル１６に交流磁界が発生し、この交流磁界は被検査体１２を透過して誘導コイル１７へ戻る。電磁誘導センサ１１を被検査体１２に対して相対移動させると、被検査体１２の内部にラック等の欠陥があった場合には、誘導コイル１７へ戻る磁力線が変化する。検出信号処理部１３は、誘導コイル１７に発生する電圧の振幅及び位相を分析し、被検査体１２内部の欠陥を判定する。
【００１６】
図３は、ワイヤロープを検査する状態を示す側面図であり、図４は、ワイヤロープを検査する状態を示す断面視正面図である。ワイヤロ−プ１８の検査位置には、スライドプレート１９が取り付けられてワイヤロ−プ１８に固定されている。スライドプレート１９は、正面視（図４）においてワイヤロ−プ１８の外径に沿う円弧形状をなすとともに、ワイヤロ−プ１８の延伸方向へ延びている。このスライドプレート１９は、合成樹脂やステンレス等の非磁性体により形成されている。スライドプレート１９の外周部には、電磁誘導式検査装置１０の電磁誘導センサ１１が当接しており、この電磁誘導センサ１１をワイヤロ−プ１８の延伸方向へ摺動させる。ワイヤロ−プ１８に素線の断線がある場合には、電磁誘導センサ１１が検知する磁界が変化し、これにより電磁誘導式検査装置１０が素線の断線を検出して表示する。以上のようにすることにより電磁誘導センサ１１は、ワイヤロ−プ１８表面の凹凸の影響を受けること無く円滑に移動でき、ワイヤロ−プ１８の素線断線検査、すなわち探傷検査を良好に行うことができる。また、スライドプレート１９は、非磁性体により形成されているので、これにより検査時に発生する磁界が影響を受けることはない。
【００１７】
図５は、異なる形態のスライドプレート１９を示した断面視正面図である。スライドプレート１９の外周部には、外側方向へ突出して二箇所にガイド部材２０を形成している。ガイド部材２０は互いに平行してスライドプレート１９の延伸方向へ延びており、両スライドプレート１９間の間隔は、電磁誘導センサ１１の幅と略同一になっている。そして、電磁誘導センサ１１を両ガイド部材２０間に挿着して摺動させる。この構成により電磁誘導センサ１１は、所定の位置を保持してスライドプレート１９上を摺動することができる。
【００１８】
一般的にワイヤロ−プ１８は、滑車あるいはシーブに巻き掛けられて使用されることが多い。図６は、ワイヤーロ−プが滑車に巻き掛けられた状態を示す側面図である。図においてワイヤロ−プ１８は、回動自在に設置された滑車２１の外周部に巻き掛けられて、所定の角度に屈曲している。この場合、ワイヤロ−プ１８の屈曲区間２２で探傷検査行うときは、上記のスライドプレート１９をワイヤロ−プ１８の外周に対応する形状に湾曲させて形成し、これをワイヤロ−プ１８の外周に取り付けることにより、上記と同様にワイヤロ−プ１８の探傷検査を行うことができる。
【００１９】
以上は電磁誘導式検査装置を用いた説明であったが、本発明は漏洩磁束探傷法を用いたワイヤロープの検査装置にも適用することができる。図７は、漏洩磁束探傷法を用いたワイヤロープの検査装置の検出器の概略を示す斜視図である。検出器２３の両端部２４、２５は、永久磁石や電磁石により磁極化されており、これによってワイヤロ−プ１８を長手方向へ磁化する。検出器２３の内部中央位置には、誘導コイル２６を備えている。検出器２３とワイヤロ−プ１８とを相対移動させ、ワイヤロ−プ１８の素線が断線している箇所がある場合には、断線箇所から磁化したワイヤロ−プ１８の磁束が漏洩し、これを誘導コイル２６が検出するようになっている。このような漏洩磁束探傷法の検出器２３を用いて探傷検査を行う場合においても、前記したスライドプレート１９を用いれば、検出器２３をスライドプレート１９に沿って円滑に移動させることができる。
【符号の説明】
【００２０】
１０  電磁誘導式検査装置
１１  電磁誘導センサ
１２  被検査体
１３  検出信号処理部
１４  表示部
１５  交流電源
１６  励磁コイル
１７  誘導コイル
１８  ワイヤロープ
１９  スライドプレート
２０  ガイド部材
２１  滑車
２２  屈曲区間
２３  検出器
２４  端部
２５  端部
２６  誘導コイル
【図１】
2019200073.tif 000003
【図２】
2019200073.tif 000004
【図３】
2019200073.tif 000005
【図４】
2019200073.tif 000006
【図５】
2019200073.tif 000007
【図６】
2019200073.tif 000008
【図７】
2019200073.tif 000009